(57)【要約】【課題】バーコードをスマートフォンやタブレット端末装置のディスプレイに表示するにあたり、覗き見を防止しつつ表示したバーコードの読取を妨げることのないブラインドフィルムが望まれているという課題がある。【解決手段】上記課題解決のため、帯状の視野角非制限用領域である非制限帯と、前記非制限帯にて分割配置される視野角制限用領域と、をタブレット端末及びスマートフォン及びPC端末など各種端末画面上配置予定領域に有するタブレット端末及びスマートフォン及びPC端末など各種端末用ブラインドフィルムを提供する。【選択図】図２
2015109569.tif 000002
【特許請求の範囲】
【請求項１】
帯状の視野角非制限用領域である非制限帯と、
前記非制限帯にて分割配置される視野角制限用領域と、
をタブレット端末及びスマートフォン及びPC端末など各種端末画面上配置予定領域に有するタブレット端末及びスマートフォン及びPC端末など各種端末用ブラインドフィルム。
【請求項２】
前記非制限帯は、
タブレット端末及びスマートフォン及びPC端末など各種端末画面上配置予定領域の縦方向に配置される縦非制限帯と、タブレット端末及びスマートフォン及びPC端末など各種端末画面上配置予定領域の横方向に配置される横非制限帯からなる請求項１に記載の、タブレット端末及びスマートフォン及びPC端末など各種端末用ブラインドフィルム。
【請求項３】
前記非制限帯は、二以上の非制限帯が平行に配置されたものを含む請求項１又は２に記載の、タブレット端末及びスマートフォン及びPC端末など各種端末用ブラインドフィルム。
【発明の詳細な説明】
【技術分野】
【０００１】
本発明は、スマートフォンなど各種端末の表示画面に貼付し、覗き見を防止するためのブラインドフィルムに関する。
【背景技術】
【０００２】
スマートフォンなどの表示画面を他人から覗き見されることを防止するために表示画面上にフィルムを貼付することがある。このようなブラインドフィルムは多層構造となっており、その中にルーバーや格子を配置した層を設けている。このルーバーや格子を配置した層により表示画面から発する光の拡散が妨げられ視野角が制限される。
【先行技術文献】
【特許文献】
【０００３】
【特許文献１】特開２００７−２６４７９６号公報
【発明の概要】
【発明が解決しようとする課題】
【０００４】
ところで、電気や水道、ガスなどの利用料金の支払いや、商品管理などに用いられるバーコードは、これまで紙面に印刷して用いられることが多かった。しかし、出願人はスマートフォンやタブレット端末装置などに備わるディスプレイにバーコードを表示して読み取らせる技術を実現する予定である。
【０００５】
ここで、前述したブラインドフィルムを表示画面上に貼付したスマートフォンなどにバーコードを表示して読取らせようとした場合、読取ることができないことが多々生じる。バーコードを読取るためのバーコードリーダは、表示されるバーコードに赤外光などを照射し反射光を受光して読取る。ところが、覗き見防止のためのルーバーや格子が干渉してしまい、反射光に乱れやムラが生じ、あるいは、十分な量の反射光を受光することができないため、バーコードの正確な読取りを妨げていると考えられる。
【０００６】
バーコードをスマートフォンやタブレット端末装置のディスプレイに表示するにあたり、覗き見を防止しつつ表示したバーコードの読取を妨げることのないブラインドフィルムが望まれているという課題がある。
【課題を解決するための手段】
【０００７】
上記課題を解決するために本発明において、以下のタブレット端末及びスマートフォン及びPC端末など各種端末用ブラインドフィルムなどを提供する。すなわち、第一の発明として、帯状の視野角非制限用領域である非制限帯と、前記非制限帯にて分割配置される視野角制限用領域と、をタブレット端末及びスマートフォン及びPC端末など各種端末画面上配置予定領域に有するタブレット端末及びスマートフォン及びPC端末など各種端末用ブラインドフィルムを提供する。
【０００８】
また、第二の発明として、上記の構成を備え、上記非制限帯は、タブレット端末及びスマートフォン及びPC端末など各種端末画面上配置予定領域の縦方向に配置される縦非制限帯と、タブレット端末及びスマートフォン及びPC端末など各種端末画面上配置予定領域の横方向に配置される横非制限帯からなるタブレット端末及びスマートフォン及びPC端末など各種端末用ブラインドフィルムを提供する。
【０００９】
また、第三の発明として、上記いずれかの構成を備え、上記非制限帯は、二以上の非制限帯が平行に配置されたものを含むタブレット端末及びスマートフォン及びPC端末など各種端末用ブラインドフィルムを提供する。
【発明の効果】
【００１０】
以上のような構成をとる本発明によって、覗き見を防止しつつ表示したバーコードの読取を妨げることのないタブレット端末及びスマートフォン及びPC端末など各種端末用ブラインドフィルムを提供することができる。
【図面の簡単な説明】
【００１１】
【図１】実施形態１のブラインドフィルムの概要を説明するための概念図
【図２】実施形態１のブラインドフィルムの一例を示す概念図
【図３】二つの非制限帯が平行に配置されたブラインドフィルムの一例を示す概念図
【図４】実施形態２のブラインドフィルムを貼付したスマートフォンの態様を示す概念図
【図５】横非制限帯と縦非制限帯とを格子状に配置した例を示す概念図
【発明を実施するための形態】
【００１２】
以下に、図を用いて本発明の実施の形態を説明する。なお、本発明はこれら実施の形態に何ら限定されるものではなく、その要旨を逸脱しない範囲において、種々なる態様で実施しうる。
【００１３】
なお、実施形態１は、主に請求項１及び２について説明する。また、実施形態２は、主に請求項３について説明する。
＜実施形態１＞
＜概要＞
【００１４】
図１は、本実施形態のタブレット端末及びスマートフォン及びPC端末など各種端末用ブラインドフィルムの概要を説明するための概念図である。図１（ａ）は、従来のブラインドフィルムを貼付したスマートフォンの態様を示している。図示するように「スマートフォン」（０１０１）には「ブラインドフィルム」（０１０３）が貼付され、表示画面には「バーコード」（０１０２）が表示されている。このバーコードを、「バーコードリーダ」（０１０４）によって読取ろうとしても読取ることができないことが多い。
【００１５】
一方、図１（ｂ）は、本実施形態のブラインドフィルムを貼付したスマートフォンの態様を示している。図示するように、「スマートフォン」（０１０１）には「ブラインドフィルム」（０１０３）が貼付されている。このブラインドフィルムは、全面が覗き見防止用となっているのではなく、視野角の制限を行わない帯状の領域である「非制限帯」（０１０５）を有している。そして、この非制限帯の下に表示されている「バーコード」（０１０２）は、覗き見を防止するためのルーバーや格子の干渉を受けることなく、「バーコードリーダ」（０１０４）によって読取ることができる。
＜構成＞
【００１６】
本実施形態に係るタブレット端末及びスマートフォン及びPC端末など各種端末用ブラインドフィルムは、帯状の視野角非制限用領域である非制限帯と、前記非制限帯にて分割配置される視野角制限用領域と、をタブレット端末及びスマートフォン及びPC端末など各種端末画面上配置予定領域に有してなるものである。
【００１７】
本実施形態のブラインドフィルムは、タブレット端末及びスマートフォン及びPC端末など各種端末の表示画面上に貼付などにより配置されるものである。タブレット端末及びスマートフォン及びPC端末は、内蔵するコンピュータにより情報処理を行う装置の代表的な存在であり、いずれの端末も何らかの表示画面を有するものであるため、本実施形態のブラインドフィルムが配置される対象として明示的に列記したものである。したがって、各種端末には、これらの代表的な装置のほかにも、携帯電話機やゲーム機やナビゲーション装置なども含まれる。また、「スマートフォン」は、タッチパネルを主たるユーザインターフェースデバイスとする高機能携帯電話機のことをいう。
【００１８】
図２は、本実施形態のブラインドフィルムの一例を示す概念図である。なお、図２（ａ）は、ブラインドフィルムの一例を示す平面図であり、図２（ｂ）は、視野角制限領域の一例を示す断面図であり、図２（ｃ）は、非制限帯の一例を示す断面図である。
【００１９】
図示するように、「ブラインドフィルム」（０２０１）は、「非制限帯」（０２０２）と「視野角制限領域」（０２０３）とを、タブレット端末及びスマートフォン及びPC端末など各種端末の表示画面上の「端末画面上配置予定領域」（０２０４）に有する。
【００２０】
上記端末画面上配置予定領域は、ブラインドフィルムの全領域のうち、各種端末装置の表示画面上に配置されることが予定される領域である。この領域は、本ブラインドフィルムが配置されることが予定されている端末装置の画面サイズに応じて適宜定めればよい。
【００２１】
「非制限帯」（０２０２）は、帯状の視野角非制限領域である。非制限帯は視野角を制限して覗き見を防止することのない領域である。すなわち、光透過性の材料によって形成される。図２（ｂ）に示すように、「非制限帯」（０２０２）は多層構造となっており、スマートフォンなどの端末装置の表示画面と接着するための「粘着層」（０２０５）と、最も表層に配置されブラインドフィルムの表面及び後述の透過層を保護するための「保護層」（０２０６）と、粘着層と保護層との間に配置される「透過層」（０２０８）とにより構成される。なお、非制限帯の幅は、少なくとも数ｍｍ、例えば、２ｍｍ程度あればよい。
【００２２】
非制限帯を構成する各層は、光透過性の合成樹脂等により形成することができる。例えば、ポリカーボネート樹脂、ポリオレフィン樹脂、ポリエステル樹脂、アクリル樹脂などにより形成することができる。粘着層を形成し、あるいは、各層を接着するための接着剤は、例えば、シリコーン接着剤、エポキシ接着剤、ウレタン接着剤などを用いることができる。なお、非制限帯の構成及び材料は上述のものに限られるものではなく、周知または公知の技術により適宜選択し得る。
【００２３】
「視野角制限領域」（０２０３）は、非制限帯にて分割配置される。図２（ａ）に示すように、視野角制限領域は、非制限帯にて縦方向に二分されて配置される。図２（ｃ）に示すように、視野角制限領域は、非制限帯と同様に多層構造となっており、「粘着層」（０２０５）と「保護層」（０２０６）とを有し、これら各層は非制限帯を構成する粘着層及び保護層とそれぞれ一体的に構成される。
【００２４】
そして、保護層と粘着層との間には、覗き見防止のためのルーバーの役目を果たす「帯状体」（０２０７）を配置した光透過性の「透過層」（０２０８）が配置される。この帯状体は、例えば着色された樹脂などにより形成され、表示画面による発光や表示画面により反射する反射光の拡散を妨げ又は乱すことにより視野角を制限する。視野角をどの程度制限するかは、帯状体の高さと隣接する帯状体の間隔によって定まる。視野角を制限する程度は、ブラインドフィルムの仕様により適宜定められる。
【００２５】
なお、端末画面上配置予定領域外については、どのような材料によって形成してもよい。例えば、視野角制限領域と同じように形成してもよいし、非制限帯と同じように形成してもよいし、いずれでもなく単に粘着層だけで形成してもよい。
【００２６】
このように非制限帯を設ける技術的意義は、以下の通りである。バーコードは、黒いバーと白いスペースとが横方向に並んで構成される。このようなバーコードが占める領域は横に長い矩形となる。バーコードを読取るには、横方向に並ぶバー及びスペースのすべてに対して光の照射及び反射光の受光をする必要がある。これは、黒いバーと白いスペースによる反射光のコントラストに基づいてバーコードが示すべき情報を読取るからである。
【００２７】
ここで、図１や図２のようにスマートフォンを縦型画面表示した場合に、非制限帯が表示画面を横断することになる。バーコードを表示させるためのアプリケーション等は、表示画面の横方向の幅にバーコードが収まるように表示することが常であるので、非制限帯が配置される画面領域にバーコードを表示することにより、少なくとも横方向においてはバーコードを構成するすべてのバー及びスペースが表示される。したがって、すべてのバー及びスペースからの反射光を受光することができるため、バーコードリーダによる読取が可能となる。
【００２８】
また、上述の通り、バーコードの読取はバーとスペースの横方向の並びに依存するため、バー及びスペースの縦方向についてはすべてが表示されない場合であっても、読取は可能である。バーコードの規格などにもよるが、バー及びスペースの高さにおいては２ｍｍ〜３ｍｍ程度表示されていれば読取が可能である。したがって、必要最小限の帯幅で非制限帯を配置することで、覗き見を防止する効果をほとんど損ねることなく、読取可能にバーコードを表示することができる。
【００２９】
ここまで、非制限帯が一のみ配置されるブラインドフィルムについて説明した。しかし、非制限帯は一つに限定されるものではなく複数配置してもよい。すなわち、非制限帯は、二以上の非制限帯が平行に配置されたものをも含む。図３は、二以上の非制限帯が平行に配置されたブラインドフィルムを示す概念図である。
【００３０】
図３（ａ）に示すように、「ブラインドフィルム」（０３０１）は、「非制限帯」（０３０２、０３０３）が二つ平行に配置され、「視野角制限領域」（０３０４）はそれらの非制限帯にて分割配置される。また、図３（ｂ）に示すように、「ブラインドフィルム」（０３０１）の長手方向に「非制限帯」（０３０２、０３０３、０３０４）を三つ平行に配置し、「視野角制限領域」（０３０５）がそれらの各非制限帯にて分割配置されるようにしてもよい。このようなブラインドフィルムは、二つのバーコードを画面に縦に並べて表示する場合に有用である。
＜効果＞
【００３１】
本実施形態のタブレット端末及びスマートフォン及びPC端末など各種端末用ブラインドフィルムにより、覗き見を防止しつつ表示したバーコードの読取を妨げることのないブラインドフィルムを提供することができる。
＜実施形態２＞
＜概要＞
【００３２】
本実施形態は実施形態１を基本とし、非制限帯がスマートフォンなどの端末画面上配置予定領域の縦方向と横方向に配置されるタブレット端末及びスマートフォン及びPC端末など各種端末用ブラインドフィルムである。スマートフォンなどの各種端末においては端末の向きに応じて画面を９０度回転させて縦型画面表示と横型画面表示とが切替自在となっているものが増えている。そこで、表示態様が切り替わった場合にも、バーコードを読取可能に表示し得るよう非制限帯を縦方向と横方向とに配置するものである。
＜実施形態２  構成＞
【００３３】
図４は、本実施形態のブラインドフィルムを貼付したスマートフォンの態様を示す概念図である。図４（ａ）は、スマートフォンを縦型画面表示したときの態様を示す概念図である。図４（ｂ）は、スマートフォンを横型画面表示したときの態様を示す概念図である。図示するように、「スマートフォン」（０４０１）の画面上に貼付される本実施形態のブラインドフィルムは、縦方向に配置される「縦非制限帯」（０４０２）と、横方向に配置される「横非制限帯」（０４０３）とを有し、「視野角制限領域」（０４０４）は、縦非制限帯及び横非制限帯とにより分割配置される。
【００３４】
「バーコード」（０４０５）は、図４（ａ）に示すように縦型表示のときには「横非制限帯」（０４０３）が配置される画面領域に表示することでバーコードリーダによる読取が可能となり、また、図４（ｂ）に示すように横型表示のときには「縦非制限帯」（０４０２）が配置される画面領域に表示することで読取が可能となる。
【００３５】
また、横非制限帯及び縦非制限帯はそれぞれ二以上を平行に配置してもよく、二以上の横非制限帯と二以上の縦非制限帯とで格子を描くように配置してもよい。図５は、横非制限帯と縦非制限帯とを格子状に配置した例を示す図である。図５に示すように、「ブラインドフィルム」（０５０１）は、複数の「横非制限帯」（０５０２）と複数の「縦非制限帯」（０５０３）とを格子状に配置し、「視野角制限領域」（０５０４）を分割している。
＜実施形態２  効果＞
【００３６】
本実施形態のタブレット端末及びスマートフォン及びPC端末など各種端末用ブラインドフィルムにより、画面の縦横が切り替わった場合においても、バーコードを読取可能に表示させることが可能となる。
【符号の説明】
【００３７】
０２０１  各種端末用ブラインドフィルム
０２０２  非制限帯
０２０３  視野角制限領域
０２０４  端末画面上配置予定領域
０２０５  粘着層
０２０６  保護層
０２０７  帯状体
０２０８  透過層
【図１】
2015109569.tif 000003
【図２】
2015109569.tif 000004
【図３】
2015109569.tif 000005
【図４】
2015109569.tif 000006
【図５】
2015109569.tif 000007